(57)【要約】【課題】本発明の目的は、ユーザと、ポータルサイトと、サイトの各々の位置情報を取得し、集約して管理することで、要求を受けて自動的に適するサイト情報、サイトにアクセスするまでの経路情報を提供したり、互いに必要な情報を共有利用し、お互いに情報を通知し合うことで、互いに協調したシステムを運営することにある。【解決手段】インターネットに接続する環境を有し、ユーザと、ポータルサイトと、サイトからの情報を集約して管理し、要求を受けて、対応するポータルサイト、サイトのＩＰアドレス、ＵＲＬ等の位置情報、サイトにアクセスするまでにどのような経路を通ってきたか等のアクセスルート情報を提供する手段と、ポータルサイト、サイトのページへのアクセス数、購入数等のアクセス情報を自動的に取得する手段と、ユーザ情報からユーザへ各種情報を通知する手段により成る。【選択図】　図１
2004078788.tif 000002
【特許請求の範囲】
【請求項１】
ウェブサイトに関する情報を管理するシステムであって、
検索条件のデータを受信する手段と、
受信した前記検索条件のデータにもとづいて記憶装置からウェブサイトに関する情報を読み出す手段と、
読み出した前記ウェブサイトに関する情報を前記検索条件のデータにもとづいて他の計算機へ送信する手段とを含むことを特徴とするウェブサイトに関する情報を管理するシステム。
【請求項２】
請求項１に記載のウェブサイトに関する情報を管理するシステムにおいて、ウェブサイトに関する情報を受信した際に、予め前記記憶装置に格納された判定条件をにもとづいて受信した前記ウェブサイトの情報を判定し、前記判定した結果にもとづいて前記記憶装置にウェブサイト情報を追加又は変更又は削除する手段を含むことを特徴とする。
【請求項３】
計算機においてウェブサイトに関する情報を管理する方法であって、
前記計算機は、検索条件のデータを受信し、
受信した前記検索条件のデータにもとづいて記憶装置からウェブサイトに関する情報を読み出し、
読み出した前記ウェブサイトに関する情報を前記検索条件のデータにもとづいて他の計算機へ送信することを特徴とするウェブサイトに関する情報を管理する方法。
【請求項４】
計算機においてウェブサイトに関する情報を管理する方法であって、
前記計算機は、第１の計算機からウェブサイトに関する情報を要求するデータを受信し、
受信した前記データと予め前記計算機に格納されたウェブサイト管理情報にもとづいて、他の計算機へウェブサイトに関する情報を要求するデータを送信し、前記他の計算機から送信した前記ウェブサイトに関する情報を要求するデータに基づいて受信した情報と予め前記計算機に格納されたユーザ管理情報にもとづいて前記第１の計算機へウェブサイトに関する情報を送信することを特徴とするウェブサイトに関する情報を管理する方法。
【発明の詳細な説明】
【０００１】
【発明の属する技術分野】
本発明は、ユーザ情報又はウェブサイト情報を有するシステムに係り、システム間で互いに協調して情報を共有・管理するシステムに関する。
【０００２】
【従来の技術】
従来、インターネット上のサイトを検索するいろいろなものが知られている。例えば、特開２００２−３２４０８号公報に記載のように、検索結果のヒット率を上げるものが知られている。
【０００３】
【発明が解決しようとする課題】
上記従来技術は、検索条件に合致するサイトの情報ノイズを減らす工夫が述べられているが、サイト間の連携による必要サイトの選択については述べられていない。
【０００４】
本発明の目的は、ユーザと、ポータルサイトと、サイトの各々の位置情報を取得し、集約して管理することで、要求を受けて自動的に適するサイト情報を提供したり、互いに必要な情報を共有利用することで、有益な情報を通知しあってシステムを運営することにある。
【０００５】
【課題を解決するための手段】
本発明の計算機においてウェブサイトに関する情報を管理するためのシステムは、検索条件のデータを受信する手段と、受信した前記検索条件のデータにもとづいて記憶装置からウェブサイトに関する情報を読み出す手段と、読み出した前記ウェブサイトに関する情報を前記検索条件のデータにもとづいて他の計算機へ送信する手段とを有することを特徴とする。
【０００６】
また、インターネットに接続する環境を有し、ユーザと、ポータルサイトと、サイトからの情報を集約して管理し、要求を受けて、対応するポータルサイト、サイトのＩＰアドレス、ＵＲＬ等の位置情報、サイトにアクセスするまでにどのような経路を通ってきたか等のアクセスルート情報を提供する手段と、ポータルサイト、サイトのページへのアクセス数、購入数等のアクセス情報を自動的に取得する手段と、ユーザ情報からユーザへ各種情報を通知する手段により成る。
【０００７】
【発明の実施の形態】
以下、本発明の一実施例を図面を用いて詳細に説明する。
図１は、本発明の構成図の例である。
図１において、ひとつ、又は複数のユーザ端末１００と、情報集約管理及びユーザ−サイト間情報通知装置１１０と、ひとつ、又は複数のポータルサイト管理端末１２０と、ひとつ、又は複数のサイト端末１３０が、ネットワーク１４０を介して接続されている。
【０００８】
ここでサイトとは、情報の提供元であり、多くはメーカ、又は販売元が提供している。たとえば、ＷＷＷシステムを用いて公開されているＷｅｂページの情報の提供元である。ポータルサイトとは、サイトの集合体である。これらのサイトにおいては、Ｗｅｂページで公開する対象となる情報や、Ｗｅｂサーバ等の管理を行っている。
【０００９】
ユーザ端末１００は、インターネットに接続する環境を有するコンピュータであり、検索部１０１と、ＩＰアドレス取得部／ＩＰアドレス排出部１０２と、お気に入りメンテナンス部１０３より成る。尚、図示を省略したが、ユーザ端末１００等の計算機は、本実施例を実現するために必要なハードウエアリソース（ＣＰＵ、メモリ、記憶装置）やソフトウエアリソース（ＯＳ、アプリケーション等）を含む。また、ユーザ端末１００はウェブブラウザ等のＷｅｂページを閲覧するためのアプリケーションプログラムが稼動する。
【００１０】
検索部１０１は、インターネットを利用してサイトを検索する処理を行うプログラムである。ユーザから、検索条件、例えば、商品名、商品カテゴリ分野などのデータの入力又は選択を受け付ける機能を含むプログラムである。
【００１１】
ＩＰアドレス取得部／ＩＰアドレス排出部１０２は、情報集約管理及びユーザ−サイト間情報通知装置１１０からサイト情報、例えば、ＩＰアドレス、ＵＲＬを取得し、ユーザ情報、例えば、ＩＰアドレスを情報集約管理及びユーザ−サイト間情報通知装置１１０に排出する（送信する）機能を含むプログラムである。
【００１２】
お気に入りメンテナンス部１０３は、インターネットを参照するもの、例えばブラウザのお気に入り情報をメンテナンスする機能を含むプログラムである。尚、お気に入りの情報には、ＵＲＬ（Ｕｎｉｆｏｒｍ　Ｒｅｓｏｕｒｃｅ　Ｌｏｃａｔｏｒ）等の各種サイトもしくはＷｅｂページ等へアクセスするために必要となる情報が登録してある。
【００１３】
お気に入りメンテナンス部１０３は、情報集約管理及びユーザ−サイト間情報通知装置１１０を監視し、サイト情報、例えばサイトのアクセス数、購入数を取得し管理する。サイト情報をもとにお気に入り内で優先順位を決定し、アクセス数、購入数が少ないサイトの場合は、警告を出してサイト情報から削除する。この詳細は、図２のタイムチャートと図５のフローに示す。尚、実施例では、お気に入りメンテナンス部１０３をユーザ端末１００内に有しているが、情報集約管理及びユーザ−サイト間情報通知装置１１０にあっても同様に動作できる。
【００１４】
情報集約管理及びユーザ−サイト間情報通知装置１１０は、インターネットに接続する環境を有し、ユーザ端末１００と、ポータルサイト管理端末１２０と、サイト端末１３０からの情報、例えばＩＰアドレス、ＵＲＬを取得してそれを集約して管理し、要求を受けて、適するサイト情報、ユーザ情報を提供・通知するコンピュータである。サイトＤＢ１１５、ユーザＤＢ１１６を有し、検索部１１１と、ＩＰアドレス取得部／ＩＰアドレス排出部１１２と、サイト情報管理部１１３と、ユーザ情報管理部１１４を含む。
【００１５】
検索部１１１は、ユーザ端末１００からの検索要求を受け、検索条件、例えば、商品名、商品カテゴリ分野に適するサイト名を取得する機能を含むプログラムである。
【００１６】
ＩＰアドレス取得部／ＩＰアドレス排出部１１２は、ＩＰアドレス検索部１１１の結果を受信し、サイトＤＢ１１５から最適なサイト情報、例えば、ＩＰアドレス、ＵＲＬをユーザ端末１００に通知する機能を含むプログラムである。同時に、ユーザ端末１００からユーザ情報、例えば、ＩＰアドレスを取得してユーザＤＢ１１６に格納し、ポータルサイト管理端末１２０と、サイト端末１３０にユーザ情報を通知する。
【００１７】
サイト情報管理部１１３は、ユーザ端末１００からの監視要求を受け、ポータルサイト管理端末１２０と、サイト端末１３０からそのサイトのアクセス数、購入数等のサイト情報を取得する機能を含むプログラムである。取得したサイト情報を、サイトＤＢ１１５に格納し、ユーザ端末１００に通知する。
【００１８】
ユーザ情報管理部１１４は、各ポータルサイト管理端末１２０と、サイト端末１３０が、ユーザ端末１００からユーザ情報、例えば、氏名、属性情報の要求を受けて、その情報をユーザＤＢ１２６、ユーザＤＢ１３６に登録した場合、各ポータルサイト管理端末、サイト端末から、ユーザ情報を取得し、ユーザＤＢ１１６に格納して管理する機能を含むプログラムである。
【００１９】
ポータルサイト管理端末１２０は、インターネットに接続する環境を有し、サイト端末１３０からの情報を集約して管理する機能を有するプログラムである。情報集約管理及びユーザ−サイト間情報通知装置１１０からの要求を受けて、サイト情報を管理・提供するコンピュータである。サイトＤＢ１２５、ユーザＤＢ１２６を有し、ＩＰアドレス取得部／ＩＰアドレス排出部１２１と、ユーザ通知部１２２と、サイト情報管理部１２３と、ユーザ情報管理部１２４より成る。
【００２０】
ＩＰアドレス取得部／ＩＰアドレス排出部１２１は、情報集約管理及びユーザ−サイト間情報通知装置１１０からの要求を受けて、サイトＤＢ１２５から最適なサイト情報、例えば、ＩＰアドレス、ＵＲＬを情報集約管理及びユーザ−サイト間情報通知装置１１０に通知する処理を含むプログラムである。
【００２１】
ユーザ通知部１２２は、情報集約管理及びユーザ−サイト間情報通知装置１１０からのユーザ端末の情報を受け、メール等の連絡手段で、ポータルサイトへユーザ登録するようにユーザ端末１１０に通知する処理を含むプログラムである。尚、実施例では、ユーザ通知部１２２をポータルサイト管理端末１２０内に有しているが、情報集約管理及びユーザ−サイト間情報通知装置１１０にあっても同様に動作できる。
【００２２】
サイト情報管理部１２３は、情報集約管理及びユーザ−サイト間情報通知装置１１０からの監視要求を受け、アクセス数、購入数等のサイト情報を通知する処理を含むプログラムである。また、サイト情報管理部１２３は、情報集約管理及びユーザ−サイト間情報通知装置１１０から、各々のポータルサイトに登録しているサイトの情報を取得する処理も含む。
【００２３】
ユーザ情報管理部１２４は、ユーザ端末１００からのユーザ情報、例えば、氏名、属性情報を取得しユーザＤＢ１２６に格納する処理を含むプログラムである。ユーザＤＢ１２６のユーザ情報を、情報集約管理及びユーザ−サイト間情報通知装置１１０に通知する。
【００２４】
サイト端末１３０は、インターネットに接続する環境を有し、情報集約管理及びユーザ−サイト間情報通知装置１１０からの要求を受けて、サイト情報を管理・提供するコンピュータである。サイトＤＢ１３５と、ユーザＤＢ１３６を有し、ＩＰアドレス取得部／ＩＰアドレス排出部１３１と、ユーザ通知部１３２と、サイト情報管理部１３３と、ユーザ情報管理部１３４より成る。
【００２５】
ＩＰアドレス取得部／ＩＰアドレス排出部１３１は、情報集約管理及びユーザ−サイト間情報通知装置１１０からの要求を受けて、サイトＤＢ１３５から最適なサイト情報、例えば、ＩＰアドレス、ＵＲＬを情報集約管理及びユーザ−サイト間情報通知装置１１０に通知する。
【００２６】
ユーザ通知部１３２は、情報集約管理及びユーザ−サイト間情報通知装置１１０からのユーザ端末の情報を受け、メール等の連絡手段で、サイトへユーザ登録するようにユーザ端末１１０に通知する。尚、実施例では、ユーザ通知部１３２をサイト端末１３０内に有しているが、情報集約管理及びユーザ−サイト間情報通知装置１１０にあっても同様に動作できる。
【００２７】
サイト情報管理部１３３は、情報集約管理及びユーザ−サイト間情報通知装置１１０からの監視要求を受け、アクセス数、購入数等のサイト情報を通知する。
【００２８】
ユーザ情報管理部１３４は、ユーザ端末１００からのユーザ情報、例えば、氏名、属性情報をユーザＤＢ１３６に格納する。ユーザＤＢ１３６のユーザ情報を、情報集約管理及びユーザ−サイト間情報通知装置１１０に通知する。
【００２９】
図２は、タイムチャートを示したものである。
最初に、ユーザ端末１００が情報集約管理及びユーザ−サイト間情報通知装置１１０に対してサイト／メーカ情報検索をかける（２０１）。情報集約管理及びユーザ−サイト間情報通知装置１１０は、サイトＤＢ１１５から最適なサイト情報、例えば、ＩＰアドレス、ＵＲＬをユーザ端末１００に通知する（２０２）。ユーザ端末１００は、ユーザ情報、例えばＩＰアドレスを情報集約管理及びユーザ−サイト間情報通知装置１１０に通知する（２０３）。情報集約管理及びユーザ−サイト間情報通知装置１１０は、ユーザ端末１００から取得したユーザ情報を、ポータルサイト端末１２０、及びサイト端末１３０に通知する（２０４、２０５）。
【００３０】
ユーザ端末１００のサイト情報監視の要求（２０６）を受け、情報集約管理及びユーザ−サイト間情報通知装置１１０は、ポータルサイト端末１２０、及びサイト端末１３０の記憶装置に格納されたサイト／メーカ情報を監視し、その情報、例えば、アクセス数、購入数を取得する（２０７、２０８、２０９、２１０）。情報集約管理及びユーザ−サイト間情報通知装置１１０は、ユーザ端末１００にサイト／メーカ情報を通知する（２１１）。情報集約管理及びユーザ−サイト間情報通知装置１１０から、ポータルサイト端末１２０へ、各々のポータルサイトに登録しているメーカの情報を通知する（２１２）。
【００３１】
ポータルサイト端末１２０、及びサイト端末１３０は、メール等の連絡手段で、ポータルサイト端末、及びサイト端末へユーザ登録するようにユーザ端末１１０に通知する（２１３、２１４）。
ユーザ端末１００が、ユーザ登録をすると（２１５、２１６）、ポータルサイト端末１２０、及びサイト端末１３０は、取得したユーザ情報、例えば、氏名、属性情報を情報集約管理及びユーザ−サイト間情報通知装置１１０に通知する（２１７、２１８）。
【００３２】
ユーザ端末１００から受信した情報収集の要求に応じて、情報集約管理及びユーザ−サイト間情報通知装置１１０が、各ポータルサイト管理端末やサイト端末の情報を収集することにより、ユーザの要求に応じた情報を収集選択することが可能となる。たとえば、ユーザ端末１００からサイト情報監視２０６の要求のデータ（ウェブサイトに関する情報を要求するデータ）を受信した場合に、サイトＤＢ１１５に格納されたウェブサイト管理情報からユーザ端末１００からの要求のデータに含まれる単語と関連する単語が含まれるエントリを読み出し、該エントリに含まれるＵＲＬもしくはＩＰアドレスに対応するサイト端末又はポータルサイト管理端末へアクセスし、情報収集を行うことも可能である。また、サイト情報監視要求を送信したユーザのユーザ管理情報をユーザＤＢ１１６から取得し、情報集約管理及びユーザ−サイト間情報通知装置１１０が収集した情報の中から、該ユーザＤＢ１１６から取得したユーザ情報にもとづいて情報を選別し、サイト／メーカ情報応答２１１としてユーザ端末１００へ送信することも可能である。
【００３３】
このように、情報集約管理及びユーザ−サイト間情報通知装置１１０が、ユーザ端末１００からのサイト情報監視の要求のデータを受信したことを契機に、該データとサイトＤＢ１１５の情報にもとづいてサイトの情報を収集し、該収集したサイトの情報とユーザＤＢ１１６の情報にもとづいてユーザ端末１００へサイト／メーカ情報応答２１１を送信することにより、ユーザの要求にあった情報を提供できる。また、各サイト提供者は自サイトに関連する情報にもとづいて、各ユーザへ情報提供が行われるため、顧客の要望に応じた宣伝効果を見込める。
【００３４】
図３は、情報集約管理及びユーザ−サイト間情報通知装置の検索部の流れ図である。
ユーザ端末１００から検索条件の入力データを受信し（３０１）、ＤＢ内にサイト／メーカ情報があるか判別し（３０２）、検索結果をＩＰアドレス取得部／ＩＰアドレス排出部に引き渡す（３０３）。
【００３５】
図４は、情報集約管理及びユーザ−サイト間情報通知装置のＩＰアドレス取得部／ＩＰアドレス排出部の流れ図である。
検索部の結果を受け取り（４０１）、サイト／メーカ情報がＤＢ内の情報日付を見て最新か判別する（４０２）。最新では無い場合、最新のＩＰアドレス等のサイト／メーカ情報を取得し、サイトＤＢに格納する（４０３）。ＩＰアドレス等のサイト／メーカ情報を、ユーザ端末、ポータルサイト端末、サイト端末に通知する（４０４）。ＩＰアドレス等のユーザ情報を取得し、ユーザＤＢに格納し（４０５）、ポータルサイト端末、及びサイト端末へ通知する（４０６）。
【００３６】
図５は、お気に入りメンテナンス部１０３、サイト情報管理部１１３の流れ図である。
最少アクセス数、最少購入数のデフォルト値を設定する（５０１）。このデフォルト値は、商品によって異なる値である。情報集約管理及びユーザ−サイト間情報通知装置のサイト／メーカ情報を監視し（５０２）、サイト／メーカ情報が最新か判別し（５０３）、アクセス数、購入数等のサイト情報を取得する（５０４）。最新の情報か否かは、サイトＤＢに格納されている情報の日付と、受信したサイト／メーカ情報の日付とを比較することで判定する。尚、サイト／メーカ情報とは、ポータルサイト管理端末１２０や、サイト端末１３０等が格納した情報でもよいし、その他の計算機から取得した情報でもよい。
【００３７】
最新のサイト／メーカ情報は、サイトＤＢに格納する。アクセス数、購入数がデフォルト値より少ないか判別し（５０５）、少ない場合、警告を出してサイト／メーカ情報をお気に入りから削除する（５０６）。
【００３８】
尚、実施例では、お気に入りメンテナンス部１０３をユーザ端末１００内に有しているが、情報集約管理及びユーザ−サイト間情報通知装置１１０にあっても同様に動作できる。
【００３９】
図６は、ユーザ通知部、ユーザ情報管理部の流れ図である。
ポータルサイト端末、及びサイト端末へユーザ登録するようにユーザ端末１１０に通知する（６０１）。ユーザの基本情報、属性情報を取得し、ユーザＤＢに格納する（６０２）。取得したユーザ情報を情報集約管理及びユーザ−サイト間情報通知装置に通知し、情報集約管理及びユーザ−サイト間情報通知装置のユーザＤＢに格納する（６０３）。
尚、実施例では、ユーザ通知部１２２、１３２をポータルサイト管理端末１２０、サイト端末１３０内に有しているが、情報集約管理及びユーザ−サイト間情報通知装置１１０にあっても同様に動作できる。
【００４０】
図７は、サイトＤＢ１１５、１２５、１３５に格納される情報の例を示したものである。
【００４１】
図７（１）は、ポータルサイト情報テーブルの例である。ここでは、ポータルサイトＩＤ、ポータルサイト名、ポータルサイトＩＰアドレス、ポータルサイトＵＲＬ、ポータルサイトの特徴の情報、ポータルサイトのアクセス数、ポータルサイトの購入数、情報の日付の各情報を対応づけて管理した例である。尚、ポータルサイトの購入数とは、ユーザがアクセスしたポータルサイトにおいて、商品を購入した件数である。
【００４２】
図７（２）は、サイト情報テーブルの例である。ポータルサイトＩＤ、サイトＩＤ、サイト名、サイトＩＰアドレス、サイトＵＲＬの各情報を対応づけて管理している。サイトＩＰアドレスとは、ポータルサイトを提供している提供元の計算機のＩＰアドレスである。サイトＵＲＬとは、ポータルサイトにアクセスするためのＵＲＬである。
【００４３】
図７（３）は、商品テーブルの例である。サイトＩＤ、商品ＩＤ、商品名、商品カテゴリー分類の各情報を対応づけて管理している。
【００４４】
図８は、ユーザＤＢ１１６、１２６、１３６に格納される情報の例を示したものである。
【００４５】
図８（１）は、ユーザ基本情報テーブルの例である。ユーザＩＤ、ユーザ名、ユーザＩＰアドレス、メールアドレス、性別、趣味などの情報を対応づけて管理している。
【００４６】
図８（２）は、ユーザアクセス情報テーブルの例である。ユーザＩＤ、登録サイトＩＤ、アクセスまでの経路情報等の情報を対応づけて管理している。
【００４７】
以上説明したように、ポータルサイト管理端末、サイト端末、ユーザ端末は、情報集約管理及びユーザ−サイト間情報通知装置へ各種情報を登録し、他ポータルサイト情報、サイト情報、ユーザ情報を共有し、お互いに情報を通知し合う。そうすることで、ポータルサイト管理者は、自分のポータルサイトの目的に合ったサイトを選択して自分のポータルサイトに登録し、管理することが出来る。サイト管理者は、自サイトの特徴に適したポータルサイトを探し出し、登録することが出来る。
また、ポータルサイト管理者、サイト管理者は、ユーザのインターネット上の位置情報、例えば、ＩＰアドレスを取得することで、メールとは異なった手段で、ユーザへアクセスすることや、各種ユーザ情報を元にユーザ分析システム等へ二次利用を行うことが出来る。
【００４８】
ユーザは、興味のあるポータルサイト、サイトの情報が自動的に管理されることで、必要な情報を早急に入手することが出来る。
情報集約管理及びユーザ−サイト間情報通知装置を有することで、ポータルサイト管理者、サイト管理者、ユーザから、アクセスフィーを対価と得たり、情報の二次利用費を対価として得ることが出来る。
【００４９】
【発明の効果】
以上説明したように、本発明において、複数の計算機からポータルサイト情報、サイト情報、ユーザ情報を収集することによって、ポータルサイトに関する情報を統合管理することが可能となる。
【図面の簡単な説明】
【図１】本発明の構成図
【図２】タイムチャートの図
【図３】検索部の流れ図
【図４】ＩＰアドレス取得部／ＩＰアドレス排出部の流れ図
【図５】お気に入りメンテナンス部、サイト情報管理部の流れ図
【図６】ユーザ通知部、ユーザ情報管理部の流れ図
【図７】サイトＤＢの図
【図８】ユーザＤＢの図
【符号の説明】
１００‥ユーザ端末
１０１‥検索部
１０２‥ＩＰアドレス取得部／ＩＰアドレス排出部
１０３‥お気に入りメンテナンス部
１１０‥情報集約管理及びユーザ−サイト間情報通知装置
１１１‥検索部
１１２‥ＩＰアドレス取得部／ＩＰアドレス排出部
１１３‥サイト情報管理部
１１４‥ユーザ情報管理部
１１５‥サイトＤＢ
１１６‥ユーザＤＢ
１２０‥ポータルサイト管理端末
１２１‥ＩＰアドレス取得部／ＩＰアドレス排出部
１２２‥ユーザ通知部
１２３‥サイト情報管理部
１２４‥ユーザ情報管理部
１２５‥サイトＤＢ
１２６‥ユーザＤＢ
１３０‥サイト端末
１３１‥ＩＰアドレス取得部／ＩＰアドレス排出部
１３２‥ユーザ通知部
１３３‥サイト情報管理部
１３４‥ユーザ情報管理部
１３５‥サイトＤＢ
１３６‥ユーザＤＢ
１４０‥ネットワーク
【図１】
2004078788.tif 000003
【図２】
2004078788.tif 000004
【図３】
2004078788.tif 000005
【図４】
2004078788.tif 000006
【図５】
2004078788.tif 000007
【図６】
2004078788.tif 000008
【図７】
2004078788.tif 000009
【図８】
2004078788.tif 000010